(57)【特許請求の範囲】
【請求項１】
コック付きキャップを容器体口頚部へ嵌合させた容器において、上記キャップの周壁22に把手31の基端部を、該把手の起伏が自在に連結し、かつ上記容器体１の胴部２前壁に転動防止用接地部５を形成して該接地部を介して容器載置面へ横倒しに、
かつ該横倒し時において口頚部側が低く、底部側が高い傾斜状態で載置可能に設け、
更に上記容器体１は、胴部２上端から平坦な肩部３を介して上記口頚部４を起立すると共に、上記胴部２の後壁上部から嵌合凸部６を突設しており、上記コック付きキャップ11は、周壁22の前半壁部外面へ内面を付設した、平面視半鍔状で容器体肩部３上面に下面を当接させた張出し板部23を有しており、把手31は、略逆U字形として、その基端部を上記張出し板部23の両端に第1ヒンジ32を介して連結すると共に、該第1ヒンジから後方へ倒したときに上記容器体肩部３後縁に接する把手部分に第２ヒンジ33を形成して、該第２ヒンジよりも先端側の把手部分が上記胴部２後壁外面へ沿って垂下可能に設け、かつ該垂下状態において後面視凹字形の把手先端部分を係止部兼握り部34として、該握り部を上記嵌合凸部６へ係止させることが可能に設けた
ことを特徴とする、把手付き液体注出容器。
【請求項２】
胴部２前壁前面を、下端から上後方への斜面として、該斜面を上記接地部５としたことを特徴とする、請求項１記載の把手付き液体注出容器。
【請求項３】
上記容器体の容量を、約２リットル以上としたことを特徴とする、請求項１、又は請求項２記載の把手付き液体注出容器。
【発明の詳細な説明】
【０００１】
【発明の利用分野】
本発明は、把手付きの液体注出容器に関する。
【０００２】
【従来の技術】
合成樹脂製の容器は、通常胴部上端から肩部を介し口頚部を起立させているが、容器体が大形化するに従い、該容器体は弾性を有するため、持ち難く、又収納液体の注出も困難となる。このため例えば実開平8-951号のように容器体胴部一部の上下方向中間部に側面開口の凹部を設け、該凹部上面と下面との各外端部に上下両端部を固着させて把手を設けることが知られている。
【０００３】
【発明の解決しようとする課題】
本発明は容器体口頚部へコック付きキャップを嵌合させて容器体を倒し、該倒伏状態で容器体口頚部側が低く、かつ容器体底部側が高い傾斜状態となるよう設けてそのまま液体注出を行うことが出来るようにすると共に、その注出作業の邪魔とならないように把手を取り付けたものであり、かつ、簡易な構成でありながら大重量の内溶液を支持することができる把手付き液体注出容器を提供するものである。
【０００４】
【課題を解決するための手段】
第1の手段は、コック付きキャップを容器体口頚部へ嵌合させた容器において、上記キャップの周壁22に把手31の基端部を、該把手の起伏が自在に連結し、かつ上記容器体１の胴部２前壁に転動防止用接地部５を形成して該接地部を介して容器載置面へ横倒しに、
かつ該横倒し時において口頚部側が低く、底部側が高い傾斜状態で載置可能に設け、
更に上記容器体１は、胴部２上端から平坦な肩部３を介して上記口頚部４を起立すると共に、上記胴部２の後壁上部から嵌合凸部６を突設しており、上記コック付きキャップ11は、周壁22の前半壁部外面へ内面を付設した、平面視半鍔状で容器体肩部３上面に下面を当接させた張出し板部23を有しており、把手31は、略逆U字形として、その基端部を上記張出し板部23の両端に第1ヒンジ32を介して連結すると共に、該第1ヒンジから後方へ倒したときに上記容器体肩部３後縁に接する把手部分に第２ヒンジ33を形成して、該第２ヒンジよりも先端側の把手部分が上記胴部２後壁外面へ沿って垂下可能に設け、かつ該垂下状態において後面視凹字形の把手先端部分を係止部兼握り部34として、該握り部を上記嵌合凸部６へ係止させることが可能に設けている。
【０００５】
第2の手段は、上記第1の手段を有し、かつ胴部２前壁前面を、下端から上後方へ斜行する斜面として、該斜面を上記接地部５としている。
【０００７】
第３の手段は、上記第１の手段、又は第２の手段を有し、上記容器体の容量を、約２リットル以上としている。
【０００８】
【発明の実施の形態】
本発明に係る把手付き液体注出容器は、容器体１とコック付きキャップ11と把手31とで構成している。
【０００９】
容器体１は、胴部２から平坦な肩部３を介して口頚部４を起立している。該容器体は、大容量（例えば２リットルから５リットル）のものであって図2の如く胴部２前面を接地させたときに、該横倒し時に口頚部４側が低く、かつ底部側が高くなる傾斜状態となるように構成したものである。特に図示例の容器体は、正立状態において、下部を除く胴部分を上方へ窄まるテーパ状角筒とすると共に、該角筒前面を下端から後上方へ斜行する平らな斜面とし、該斜面を接地部５としている。上記胴部２の後壁上部には嵌合凸部６を形成する。該嵌合凸部は、後壁の一部を段差を介して外方へ張り出させることで形成することが望ましく、又、図示のように左右に長い長方形状とすると良い。又、嵌合凸部の左右中間部分下側には凹所７を形成している。
【００１０】
コック付きキャップ11は、上記口頚部４外面へ螺合させたキャップ本体12と該本体上部に横設した、操作用摘み13a付きの栓筒13との２部材で形成されている。上記キャップ本体12は把手31と一体に設けると良い。
【００１１】
該コック付きキャップ11は公知のものでよく、キャップ本体の頂板14上面に設けた筒受け15に、注ぎ口16を前方へ開口する栓筒13後半を摘み13a操作により回動自在に抱持させると共に、上記頂板14下面から上記口頚部４上端部内へ密嵌するシール筒17を垂下して、該シール筒内方頂板部分及び該頂板部分に接する栓筒部分に通液孔18a,18bを穿設し、これら両孔の連通を上記摘み13aの操作で開閉可能とするコック19を構成する。符号20a,20b,20cは吸気孔である。
【００１２】
本発明においては、上記キャップ本体の周壁22の前半壁部には、平面視半鍔状の張出し板部23を付設している。該張出し板部は、その内面を上記周壁前半壁部へ充填時の容器を吊下げ可能な強度で接合したものであり、張出し板部23の下面は上記肩部３の上面へ当接させると良い。
【００１３】
上記キャップ本体の周壁22左右両部には、上記張出し板部23を介して把手31の基端部を連結する。該把手は、図３に示す状態で正面から見て上記コック付きキャップ11を跨る略逆U字形であり、かつ左右側方から見て平板状のもので、その基端部を上記張出し板部23の周方向両端部に第1ヒンジ32を介して連結している。又、図示の把手は、上記第1ヒンジ32を中心として後方へ倒したときに上記容器体肩部３の後縁に当たる部分に第２ヒンジ33を設けて、該第2ヒンジよりも先端側の把手部分が上記胴部２後壁後面に沿って垂下するように設け、かつ、把手31の先端部分を、少なくとも嵌合凸部６の下縁及び左右両縁へ（図示例では嵌合突部の上縁中間部を除く外縁部分へ）の嵌着可能な係止部兼握り部34としている。
【００１４】
上記構成によれば、図1の状態から容器を横倒しして摘み13aを開方向へ動かすと、図２に示すように注ぎ口16から液体を注出することができ、このとき、把手31は、その握り部34を上記嵌合凸部６外縁部分へ係止させているから、上記注ぎ口16からの注出作業の邪魔となることがない。
【００１５】
又、容器を移動する場合には、上記横倒し状態から、凹所7内へ指先を入れて嵌合凸部６と握り部34との係合を外すと共に、該握り部を掴んで容器を図３の如く正立させ、更に把手31を介して吊り上げれば良い。このとき、吊り下げた容器の重量を、把手とコック付きキャップ11との間では平面視半鍔状の張出し板部23内周縁全体で、又、コック付きキャップ11と容器体１との間では、キャップ体周壁22を螺合させた口頚部４外面全体で支持するので、大きな荷重に対抗することができる。
【００１６】
【発明の効果】
本発明は上記構成のものであり、請求項１の発明によれば次の効果を奏する。
○本願発明に係る容器は胴部２前壁に接地部５を有するから、例えば冷蔵庫内部の棚の上に、コック付きキャップを扉側に向けて載置したときに、その扉を開くとともに、コックを開とすることで内容物を注出することができ、重量の大きい容器を冷蔵庫から取り出すという手間を不要とすることができる。
○横倒し状態で常置するタイプの容器に把手31を付設したから、変形し易い胴部を持たずに把手を用いて容器を起こすことができ、取扱いが容易である。
○把手31はキャップ周壁12へ連結しており、キャップと別個に把手取付手段を設ける必要がないから、構成を簡易とすることができる。
【００１７】
請求項２の発明によれば、胴部２前面を接地面としたから、より確実に容器体の転動を防止することができる。
【００１８】
請求項３の発明によれば、次の効果を奏する。
○容器体口頚部４外面へキャップ周壁22を嵌合させると共に、該周壁前半壁部に付設した平面視半鍔状張出し板部23の両端を把手31の基端部に連結させたから、容器体吊下げ時の応力集中を抑えて大重量の内容物を支持できる。
○把手の握り部34は、嵌合凸部６外縁に係止させているから、液体注出作業の途中で注ぎ口16側へ垂れ下がって、液体注出の邪魔となることがない。
○第2ヒンジ33よりも先端側の把手部分は胴部２後壁後面へ垂下したから、容器が嵩張ることがない。
【００１９】
請求項４の如く大容量の容器とした場合に、特に上記発明効果の実効性を高めることができる。
【図面の簡単な説明】
【図１】  本発明に係る容器を正立させた状態での斜視図である。
【図２】  図１容器を横倒しとし、かつコックを開としたときの縦断面図である。
【図３】  図１容器の正立状態での作用説明図である。
【符号の説明】
１…容器体  ２…胴部  ３…肩部  ４…口頚部  ５…接地部  ６…嵌合凸部
７…凹所
11…コック付きキャップ  12…キャップ本体  13…栓筒  13a…摘み
14…頂板  15…筒受け  16…注ぎ口  17…シール筒  18…通液孔
19…コック  20…吸気孔  22…キャップ本体周壁 23…張出し板部
31…把手  32…第1ヒンジ  33…第2ヒンジ  34…握り部
【図１】
0003916971.tif 000002
【図２】
0003916971.tif 000003
【図３】
0003916971.tif 000004